(57)【要約】【課題】夏期の暑いときに屋根プレートを効率よく冷却して、室内を涼しくする。雨漏りしない構造として、メンテナンスを簡単にして屋根を涼しくする。【解決手段】建物は、棟部４４の両側に、棟部４４に向かって上り勾配に傾斜する一対の屋根を備える。この屋根構造は、屋根プレート２０から下方に離して区画壁３を設けて、区画壁３と屋根プレート２０との間に外気換気層４を設けている。棟部４４の両側に配置している一対の外気換気層４は、屋根の棟部４４で互いに連通されて、互いに空気を流通できる状態に連結している。さらに、棟部４４の両側に配設している一対の外気換気層４は、外気換気口２７で建物外に開口している。この建物は、一方の外気換気口２７から他方の外気換気口２７に外気を流通させて、一対の外気換気層４に外気を流通させている。【選択図】　図１
2004124517.tif 000002
【特許請求の範囲】
【請求項１】
棟部（４４）の両側に、棟部（４４）に向かって上り勾配に傾斜する一対の屋根を備え、この屋根の内部に屋根プレート（２０）から下方に離して区画壁（３）を設けて、区画壁（３）と屋根プレート（２０）との間に外気換気層（４）を設けており、棟部（４４）の両側に配置している一対の外気換気層（４）は、屋根の棟部（４４）で互いに連通されて、互いに空気を流通できる状態に連結しており、さらに、棟部（４４）の両側に配設している一対の外気換気層（４）は、外気換気口（２７）で建物外に開口されており、一方の外気換気口（２７）から他方の外気換気口（２７）に外気を流通させて、一対の外気換気層（４）に外気を流通させるようにしてなる建物。
【請求項２】
屋根プレート（２０）が、下地材（１９）の上に瓦やスレート等の屋根材（４５）を葺いた構造である請求項１に記載される建物。
【請求項３】
屋根プレート（２０）と区画壁（３）との間に、１層または複数層に中間プレート（４６）を配設して、中間プレート（４６）でもって外気換気層（４）を複数の層に区画している請求項１に記載される建物。
【請求項４】
下地材（１９）と区画壁（３）との間に胴縁（１１）を固定して、胴縁（１１）で下地材（１９）と区画壁（３）との間に外気換気層（４）を設けている請求項１に記載される建物。
【請求項５】
胴縁（１１）でもって、屋根プレート（２０）と区画壁（３）との間に中間プレート（４６）を固定している請求項３及び４に記載される建物。
【請求項６】
胴縁（１１）を介して、屋根プレート（２０）と区画壁（３）との間に断熱材（１０）を固定している請求項１に記載される建物。
【請求項７】
中間プレート（４６）が断熱材（１０）である請求項５に記載される建物。
【請求項８】
外気換気層（４）の一方または両方の外気換気口（２７）に、開閉できる開閉蓋（４７）を設けており、開閉蓋（４７）を開いて外気換気層（４）に外気を換気し、開閉蓋（４７）を閉じて外気換気層（４）の換気を阻止できるようにしている請求項１に記載される建物。
【請求項９】
外気換気層（４）の外気換気口（２７）を、屋根の軒下に開口してなる請求項１ないし８のいずれかに記載される建物。
【請求項１０】
屋根に設けている区画壁（３）の室内側に、天井裏ダクト（２６）である計画通気層（５）を設けており、計画通気層（５）を室内に連結している請求項１ないし９のいずれかに記載される建物。
【請求項１１】
建物の壁の内部に区画壁（３）を設けて、壁の内部を計画通気層（５）と、外気を換気させる外気換気層（４）とに区画しており、屋根と壁に設けている区画壁（３）を互いに連結して、屋根の計画通気層（５）である天井裏ダクト（２６）を壁の計画通気層（５）に連結している請求項１ないし１０のいずれかに記載される建物。
【請求項１２】
建物の壁の内部に区画壁（３）を設けて、壁の内部を計画通気層（５）と、外気を換気させる外気換気層（４）とに区画しており、屋根と壁に設けている区画壁（３）を互いに連結して、屋根と壁の外気換気層（４）を連結している請求項１ないし１１のいずれかに記載される建物。
【請求項１３】
屋根と壁の外気換気層（４）を、屋根と壁の境界に設けている外気換気口（２７）で外部に開口している請求項１２に記載される建物。
【請求項１４】
建物の南側に位置する壁と屋根の外気換気層（４）を外部に開口することなく連通して、壁の外気換気層（４）の下部を建物外に開口しており、建物の北側に位置する壁と屋根の外気換気層（４）は、軒下に設けた外気換気口（２７）で建物外に開口している請求項１１ないし１３のいずれかに記載される建物。
【請求項１５】
室内空気を壁の外気換気層（４）または建物外に排気する排気ダクト（８）を設けている請求項１１ないし１４のいずれかに記載される建物。
【発明の詳細な説明】
【０００１】
【発明の属する技術分野】
本発明は、夏期の暑いときに室内を涼しくできる建物に関し、とくに、屋根を効率よく冷却できる建物に関する。
【０００２】
【従来の技術】
夏期の暑いとき、建物の屋根は太陽熱に加熱されて極めて温度が高くなる。とくに、屋根に葺かれる瓦やスレート等の屋根材は、熱容量が大きいのでいったん加熱されると冷却されるのに時間がかかり、夜間になって涼しくなるまでに時間がかかる欠点もある。その上、屋根裏には外気が入らないために、夏期の晴天時においては６０℃を越える高温に達することもある。このため、二階建ての建物にあっては、二階の温度が一階よりも相当に高くなる。この弊害を解消するために、瓦等の屋根材の下に断熱材を張設している。断熱材は、屋根材の熱が室内に伝わるのをできる限り少なくする。
【０００３】
【発明が解決しようとする課題】
屋根に断熱材を張設しているにもかかわらず、従来の建物は二階の温度が相当に高くなっているのが実状である。また、夜間になっても二階の温度が下がるのに極めて時間がかかっている。それは、屋根に張設してい断熱材が、高温に加熱されて屋根材の熱の室内侵入を有効に阻止するのが極めて難しいからである。さらに、太陽の熱エネルギーが、１平方メートルに対して１ｋＷと極めて大きいことも、屋根を涼しくするのを難しくしている。
【０００４】
建物の屋根を少しでも涼しくするために、屋根の軒部に屋根裏の空気を排気する機構が開発されている。この建物は、屋根裏の空気を強制的に排気し、あるいは自然に排気して、屋根裏の温度を低下させる。この構造は、雨水の侵入を確実に阻止することが難しく、とくに台風のように強風のときに雨水が侵入しやすい弊害がある。屋根は雨水が侵入すると野地板等の木材を腐食させる弊害も発生する。とくに、屋根裏を涼しくするために、屋根裏の空気を多量に排気する構造にすると雨水が侵入しやすくなる。このため、屋根裏の空気換気量が制限され、効率よく屋根裏の温度を低下できない。
【０００５】
本発明は、この欠点を解決することを目的に開発されたものである。本発明の重要な目的は、夏期の暑いときに屋根を効率よく冷却して、室内を涼しくできる建物を提供することにある。
また、本発明の他の大切な目的は、雨漏りしない構造であって、メンテナンスを簡単にして屋根を涼しくできる建物を提供することにある。
【０００６】
【課題を解決するための手段】
本発明の建物は、棟部４４の両側に、棟部４４に向かって上り勾配に傾斜する一対の屋根を備える。この屋根構造は、屋根プレート２０から下方に離して区画壁３を設けて、区画壁３と屋根プレート２０との間に外気換気層４を設けている。棟部４４の両側に配置している一対の外気換気層４は、屋根の棟部４４で互いに連通されて、互いに空気を流通できる状態に連結している。さらに、棟部４４の両側に配設している一対の外気換気層４は、外気換気口２７で建物外に開口している。この建物は、一方の外気換気口２７から他方の外気換気口２７に外気を流通させて、一対の外気換気層４に外気を流通させている。
【０００７】
屋根プレート２０は、下地材１９の上に瓦やスレート等の屋根材４５を葺いた構造とすることができる。さらに、本発明の建物は、屋根プレート２０と区画壁３との間に、１層または複数層に中間プレート４６を配設して、中間プレート４６でもって外気換気層４を複数の層に区画することができる。さらに、本発明の建物は、下地材１９と区画壁３との間に胴縁１１を固定して、胴縁１１で下地材１９と区画壁３との間に外気換気層４を設けることができる。この胴縁１１は、屋根プレート２０と区画壁３との間に中間プレート４や断熱材１０を固定することができる。中間プレート４６は、断熱材１０とすることができる。
【０００８】
さらに、本発明の建物は、外気換気層４の一方または両方の外気換気口２７に開閉できる開閉蓋４７を設けて、開閉蓋４７を開いて外気換気層４に外気を換気し、開閉蓋４７を閉じて外気換気層４の換気を阻止することができる。外気換気層４の外気換気口２７は、屋根の軒下に開口することができる。さらに、本発明の建物は、屋根に設けている区画壁３の室内側に、天井裏ダクト２６である計画通気層５を設けて、計画通気層５を室内に連結することができる。
【０００９】
さらに、本発明の建物は、壁の内部に区画壁３を設けて、壁の内部を計画通気層５と、外気を換気させる外気換気層４とに区画することができる。さらに、この建物は、屋根と壁に設けている区画壁３を互いに連結して、屋根の計画通気層５である天井裏ダクト２６を壁の計画通気層５に連結することができる。さらにまた、本発明の建物は、屋根と壁に設けている区画壁３を互いに連結して、屋根と壁の外気換気層４を連結することもできる。この建物は、屋根と壁の外気換気層４を、屋根と壁の境界に設けている外気換気口２７で外部に開口することができる。
【００１０】
さらに、本発明の建物は、建物の南側に位置する壁と屋根の外気換気層４を外部に開口することなく連通して、壁の外気換気層４の下部を建物外に開口し、建物の北側に位置する壁と屋根の外気換気層４を、軒下に設けた外気換気口２７で建物外に開口することができる。さらにまた、本発明の建物は、室内空気を壁の外気換気層４または建物外に排気する排気ダクト８を設けることができる。
【００１１】
【発明の実施の形態】
以下、本発明の実施例を図面に基づいて説明する。ただし、以下に示す実施例は、本発明の技術思想を具体化するための建物を例示するものであって、本発明は建物を下記のものに特定しない。
【００１２】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
図１ないし図３に示す建物は、棟部４４の両側に、棟部４４に向かって上り勾配に傾斜する一対の屋根を備える。この屋根構造は、屋根プレート２０から下方に離して区画壁３を設けて、区画壁３でもって、屋根プレート２０と区画壁３との間に外気換気層４を設けている。棟部４４の両側に配置する一対の外気換気層４は、屋根の棟部４４で互いに連通されて、互いに空気を流通できる状態に連結している。さらに、一対の外気換気層４は、外気を自然に、あるいは強制的に流通できるように、屋根の両側において、外気換気口２７で建物外に開口している。両側に外気換気口２７を設けている一対の外気換気層４は、一方の外気換気口２７から他方の外気換気口２７に外気を流通させて、外気を流通させる。外気換気層４に流通される外気は、夏期の暑いときに、屋根プレート２０を下面から強制的に冷却する。この構造の建物は、単に屋根プレート２０の下面を断熱する従来の建物に比較すると、実質的な断熱特性を著しく向上できる。また、屋根プレート２０を外気で強制冷却するので、屋根プレート２０の温度を速やかに低下できる特長もある。
【００１４】
外気換気層４に自然に外気が換気されるのは、自然対流の作用と風の作用による。棟部４４の両側にあって棟部４４に向かって上り勾配の屋根は、いずれか一方に太陽光線が強く当たる。たとえば、南斜面の屋根は、北斜面の屋根よりも太陽光線が強く当たる。太陽光線が強く当たる側の屋根プレート２０は、北斜面の屋根プレート２０よりも高温に加熱される。加熱された屋根プレート２０は、その下方の外気換気層４の空気を加温して軽くする。軽くなった空気は、南斜面の外気換気層４の内部を上昇する。北斜面の外気換気層４の空気も暖められるが、南斜面の外気換気層４の空気のようには暖められず、南斜面の外気換気層４の空気の上昇が甚だしくなる。このため、より効率よく暖められる南斜面の外気換気層４の空気は、ここを勢いよく上昇して、南斜面の外気換気層４から北斜面の外気換気層４に流入し、北斜面の外気換気層４の空気を建物外に排出する。すなわち、一対の外気換気層４の空気は、南斜面から北斜面に自然に対流しながら流通されて、屋根プレート２０を下面から冷却する。一対の屋根が、南斜面と北斜面に向かなくても、たとえば、棟部が南北に延長されて、西斜面と東斜面となっても、午前と午後において、片方の屋根に太陽光線が強く照射されて、同じように対流作用が発生する。太陽光線に加熱される屋根プレート２０は、夏の暑いときほど外気換気層４に多量の空気を換気して、効率よく強制冷却する。それは、屋根プレート２０が加熱されるほど、外気換気層４の対流が甚だしくなるからである。このため、暑い夏ほど屋根プレート２０を効率よく冷却できる。外気換気層４には自然に外気が換気されるので、外気換気層４には必ずしも外気を強制送風する必要はない。ただ、外気換気層４に強制送風して屋根プレート２０を冷却できるのは言うまでもない。
【００１５】
さらに、外気換気層４には、自然対流の作用のみでなく、風によっても強制的に送風されることがある。それは、一方の外気換気口２７に風が強く吹き付けられると、この風が外気換気口２７に案内されて、内部を通過するからである。好都合なことに、日本では夏期の暑いときに主として南風が吹く。南風は、南斜面の外気換気口２７に吹き付けられて、南斜面の外気換気層４の空気を南斜面から北斜面に強制的に送風する。この状態になると、太陽光線による温度差と、風との相乗作用で外気換気層４により効果的に外気が送風される。
【００１６】
図１に示す建物は、屋根の外気換気層４の下端部に外気換気口２７を設けている。この外気換気口２７は、雨水が侵入しないように軒下に開口している。さらに、図の建物は、屋根と壁の両方に区画壁３を設けて、屋根と壁に外気換気層４を設けている。屋根と壁の区画壁３は、屋根と壁の境界で互いに連結している。壁の外気換気層４は、上端部と下端部を建物外に開口して、壁の外気換気層４にも外気を自然に換気できる構造としている。壁の外気換気層４の下端部は、外気換気口２７として建物外に開口している。壁の外気換気層４の上端部は、屋根の外気換気層４の下端部に連結している。したがって、壁の外気換気層４の上端部は、屋根の外気換気層４の下端部の外気換気口２７を介して建物外に開口される。この建物は、南側に位置する壁の外気換気層４の下端から流入して、この外気換気層４で暖められて上昇する空気と、南側に位置する軒下に設けられた外気換気口２７から流入する空気とが、南斜面の屋根の外気換気層４に流入する。南斜面の屋根の外気換気層４から北斜面の外気換気層４に流入して対流する空気と、北側に位置する壁の外気換気層４の下端から流入して上昇する空気とが、北側に位置する軒下に設けられた外気換気口２７から建物外に排出される。
【００１７】
さらに、本発明の建物は、図２に示すように、壁に外気換気層４を設けて、建物の南側に位置する壁と屋根の外気換気層４を外部に開口することなく連通することができる。壁の外気換気層４の下部は、外気換気口２７として建物外に開口される。建物の北側に位置する壁と屋根の外気換気層４を軒下に設けた外気換気口２７で建物外に開口する。この構造の建物は、よりスムーズに外気換気層４の外気を循環できる。それは、南側の壁と屋根とが太陽光線で強く加温されて、外気換気層４の空気を暖かく軽くし、壁から屋根の外気換気層４に勢いよく対流させて、北側の外気換気層４の空気を押し出すからである。
【００１８】
さらに、本発明の建物は、図３に示すように、南斜面と北斜面の両方の外気換気層４を外部に開口することなく、壁の外気換気層４に連結して、壁の外気換気層４の下端に設けた外気換気口２７で建物外に開口することもできる。この建物も、南側の屋根と壁とが太陽光線に強く加熱されるので、壁と屋根の外気換気層４の空気が勢いよく上昇して、外気換気層４に対流させた外気を流通できる。
【００１９】
図１ないし図３に示す建物は、建物の屋外側に位置する外壁１と建物の室内側に位置する室内パネル２との間に区画壁３を設けて、壁の内部を計画通気層５と外気換気層４に区画している。図の建物は、外壁１と区画壁３との間に外気換気層４を設けて、区画壁３と室内パネル２との間に計画通気層５を設けている。さらに、これ等の図に示す建物は、屋根と壁の区画壁３を連結して、屋根と壁の計画通気層５を連結している。屋根や壁に計画通気層を設けている建物は、壁内換気を理想的な状態にコントロールできる。ただ、本発明の建物は、壁内に必ずしも区画壁を設けて、壁の内部を外気換気層と計画通気層とに区画する必要はない。本発明の建物は、図４に示すように、壁内に計画通気層を設けることなく外気換気層４のみを設けて、壁と屋根の外気換気層４に外気を流通させることもできる。この図に示す建物は、壁に設けた外気換気層４の上端部と下端部を建物外に開口して外気換気口２７としているが、図２や図３に示すように、屋根の外気換気層４を外部に開口することなく壁の外気換気層４に連結することもできる。さらに、本発明の建物は、図５に示すように、屋根にのみ外気換気層４を設けて、この外気換気層４に外気を流通させることもできる。この図に示す建物は、壁の内部に計画通気層５を設けているが、計画通気層５は必ずしも設ける必要はない。
【００２０】
図１ないし図３に示すように、壁の内部を計画通気層５と外気換気層４とに区画している建物は、換気穴７で室内を壁の計画通気層５に連結して、計画通気層５の空気を室内に供給する。さらに、図に示す建物は、室内の空気を外気換気層４または建物外に排気する排気ダクト８を備えている。図１の建物は、室内の空気を外気換気層４に排気する壁内排気ダクト８Ａを備えている。図３の建物は、室内の空気を建物外に排気する屋外排気ダクト８Ｂを備えている。さらに、図２の建物は、室内の空気を外気換気層４に排気する壁内排気ダクト８Ａと、室内の空気を建物外に排気する屋外排気ダクト８Ｂとを備えている。壁内排気ダクト８Ａは、室内の空気を外気換気層４に排気し、屋外排気ダクト８Ｂは、室内の空気を建物外に換気する。図１と図３の建物は、壁内排気ダクト８Ａと屋外排気ダクト８Ｂのいずれか一方を設けているが、建物は、建物内に設けている複数の室内のいずれかには壁内排気ダクト８Ａを設けて、他の室内に屋外排気ダクト８Ｂを設けることもできる。また、室内によっては壁内排気ダクト８Ａと屋外排気ダクト８Ｂの両方を設けることができる。
【００２１】
壁内への排気ダクト８Ａと屋外への排気ダクト８Ｂは、図示しないが、空気の排気状態をコントロールできる開閉弁等の機構を内蔵して、室内空気の排気量を制御することができる。さらに、図１と図３に示す建物は、壁内への排気ダクト８Ａと屋外への排気ダクト８Ｂに、室内空気を強制的に排気する強制換気機構９を備える。強制換気機構９は、モーターで回転されるファンである。この強制換気機構９は、ファンの回転数を制御して、室内空気の排気量をコントロールできる。このように、排気ダクト８に強制換気機構９を設けて室内の空気を強制的に外部へ排出すると室内の気圧はマイナスとなるが、計画通気層５の空気が換気穴７と幅木材５０を通過して室内に流入されるので、室内の気圧のバランスが保てる。したがって、ドアの下部等の通気口は不要となり、効率よく暖房できると共に、美しいデザインに仕上げることができる。ただし、壁内への排気ダクト８Ａと屋外への排気ダクト８Ｂは、図２に示すように、強制換気機構を設けることなく、自然に室内空気を排気する構造とすることもできる。壁内への排気ダクト８Ａと屋外への排気ダクト８Ｂは、図２に示すように、室内と外気換気層４または建物外とをダクトで連結することにより、自然に室内空気を排気することができる。
【００２２】
室内パネル２を貫通する換気穴７は室内側に開口される。さらに、換気穴７の室内側開口部を隠ぺいするが閉塞しないように、室内パネル２に幅木材５０を固定している。図の建物は、幅木材５０として、壁と床との境界に幅木５０Ａを固定し、壁と天井との境界に天井回り縁５０Ｂを固定している。さらに図示しないが、幅木材５０として、額なげしを固定して換気穴の室内側開口部を隠ぺいすることもできる。建物は、幅木５０Ａ、天井回り縁５０Ｂ、額なげしを固定する位置が決まっている。このため、建物は、これ等の幅木材５０を固定する位置に換気穴７を開口して、幅木材５０で換気穴７の開口部を隠ぺいする。
【００２３】
計画通気層５の空気は、麦飯石、珪藻土、活性炭等の濾過材４０を通過し、さらに室内パネル２の換気穴７と幅木材５０とを通過して、室内に供給される。濾過材４０は、室内パネル２の換気穴７に配置され、あるいは、換気穴７の近傍であって計画通気層５に配置される。濾過材４０は、交換できるように、換気穴７や計画通気層５に配置される。濾過材４０を交換するために、幅木材５０は脱着できるように室内パネル２に固定される。幅木材５０を外して、換気穴７の室内側の開口部を開き、換気穴７や計画通気層５に配置している濾過材４０を交換する。この建物は、濾過材４０で臭い等を除去した清澄な空気を室内に供給できる。
【００２４】
さらに、図１ないし図３の建物は、床構造として、室内側の床板２３と床下側に設けているプラットホーム２４との間に隙間を設けて計画通気層５を設けている。壁の計画通気層５と床の計画通気層５とは互いに連通している。
【００２５】
さらに、図１ないし図３に示す建物は、屋根の内部に外気換気層４の下層として、計画通気層５である天井裏ダクト２６を設けている。屋根の計画通気層５である天井裏ダクト２６は、建物の壁に設けている計画通気層５に連結している。壁と床に設けている計画通気層５と、屋根裏に設けている屋根の計画通気層５である天井裏ダクト２６とは、互いに連結されて空気を循環できる状態としている。さらに、図の建物は、屋根の計画通気層５である天井裏ダクト２６を、区画壁３に設けている屋根換気口２５を介して屋根の外気換気層４に連結している。屋根換気口２５は、温度を検出して開閉され、あるいは手動で開閉されるシャッター３８や強制換気機構３９を設けることができる。この建物は、寒いとき、屋根換気口２５のシャッター３８を開き、あるいは強制換気機構３９を運転して、屋根の外気換気層４で加温された暖かい空気を計画通気層５である天井裏ダクト２６に流入させる。天井裏ダクト２６の暖かい空気は、換気穴７から室内に供給される。
【００２６】
壁内への排気ダクト８Ａは、図１と図２の矢印で示すように、室内の空気を外気換気層４に排気する。壁内への排気ダクト８Ａから室内の空気が供給される外気換気層４の空気温度は、室内の空気温度と外気温度との間の温度となる。たとえば、冬期の寒いとき、外気換気層４に暖かい室内空気が排気されるので、外気換気層４の空気温度は外気温度よりも高くなる。外気換気層４に排気される室内空気は、室内で加湿されて外気よりも絶対湿度が高くなっていることがあるので温度が下がると結露しやすい性質がある。しかしながら、室内空気を外気換気層４に排気して、外気換気層４の空気温度が高くなると、区画壁３の両面の温度差が少なくなり、排気された空気が区画壁３で温度が下がることは少なく、区画壁３に結露することはない。さらに外気換気層４は建物外に連結して換気しているので、このことによっても区画壁３内面の結露を防止できる。外気が換気されることにより、外気換気層４の空気の絶対湿度が低くなるからである。また、外気換気層４に排気された室内の空気は、外壁１の内面で冷やされるが、ここに換気しているために結露することはなく、また仮に結露しても、外気が換気されて速やかに乾燥される。
【００２７】
屋外への排気ダクト８Ｂは、図２と図３の矢印で示すように、室内の空気を建物外に排気する。外気換気層４には室内空気を供給せず、建物外に連結されて外気を換気しているので、外気換気層４の内部に結露することはない。また、区画壁３内面にも結露することはない。外気換気層４に室内空気を供給しないからである。
【００２８】
室内の空気を外気換気層４あるいは屋外へ排気すると、室内が閉鎖される状態では室内の圧力が低下して、計画通気層５の空気が換気穴７と幅木材５０を通過して室内に流入される。計画通気層５の空気は、寒い冬期にあっては外気温度よりも暖かく、暑い夏期にあっては外気よりも涼しい。このため、計画通気層５の空気を室内に流入することにより、冬期にあっては室内が寒くなることがなく、また夏期にあっては暑くなることがなく、冷暖房の効率を高くできる。
【００２９】
壁内への排気ダクト８Ａが室内空気を外気換気層４に排気し、あるいは屋外への排気ダクト８Ｂが室内空気を建物外に排気すると、建物の空気は以下のように流れて室内に換気される。
（１）　壁内への排気ダクト８Ａや屋外への排気ダクト８Ｂから室内空気が排気されて室内が負圧になると、換気穴７と幅木材５０を通過して、計画通気層５の空気が室内に吸入される。区画壁３の室内側を天然木材とする建物は、計画通気層５の空気に、天然木材から放出される抗酸化物質等を添加する。とくに、天然木材に松等の針葉樹を使用する建物は、計画通気層５により多くの抗酸化物質を放出する。計画通気層５の空気に含まれる抗酸化物質は、換気穴７と幅木材５０を通過して空気と一緒に室内に供給される。
【００３０】
（２）　計画通気層５の空気が室内に吸入されると、計画通気層５は負圧になって、ここに空気が吸入される。この空気は、屋根換気口２５を通過して屋根の外気換気層４から屋根の計画通気層である天井裏ダクト２６に吸入され、あるいは床のプラットホーム２４を通過して計画通気層５に吸入される。屋根換気口２５は、冬期の寒い季節に屋根で暖められた空気を計画通気層５に供給する。床のプラットホーム２４は、夏の暑いときにすずしい床下の空気を隙間を通過させて計画通気層５に供給する。また、屋根換気口２５のない建物は、区画壁３の微細な空隙を透過して外気換気層４から計画通気層５に空気が吸入される。とくに、天然木材を並べて固定している区画壁３は、天然木材の間に隙間ができるので、この隙間を通過して外気換気層４から計画通気層５に空気が流入される。
【００３１】
（３）　室内から外気換気層４に排気された空気は、外気が換気される外気換気層４で建物の外部に換気される。また、室内の空気を屋外への排気ダクト８Ｂで建物外に排気する建物は、外気換気層４に外気が換気される。
【００３２】
以上の建物は、壁内への排気ダクト８Ａや屋外への排気ダクト８Ｂの強制換気機構９が室内の空気を強制的に外気換気層４や建物外に排気し、あるいは屋根換気口２５に強制換気機構３９を設けて、この強制換気機構３９で強制的に空気を計画通気層５に供給して循環させることができる。また、壁内への排気ダクト８Ａの開口部を外気換気層４に開口し、さらに屋外への排気ダクト８Ｂを建物外に開口して、自然に室内空気を吸い出すようにすることもできる。たとえば、壁内への排気ダクト８Ａの一端を外気換気層４に開口して、外気換気層４を対流する空気流で壁内への排気ダクト８Ａの空気を吸い出すことができる。空気は流速が速くなると圧力が低下する性質があるので、外気換気層４で対流して空気が流動すると、壁内への排気ダクト８Ａの開口部の圧力が低下して吸い出されるからである。また、屋外への排気ダクト８Ｂを建物外に開口し、これを図３の鎖線で示すように、上向きに煙突のように延長して、対流作用で排気することができる。
【００３３】
以上の構造の建物の壁と床と屋根の詳細な構造を以下に詳述する。
図６の水平断面図と、図７の一部を除去した斜視図と、図８の垂直断面図は、建物の壁構造を示す。これらの図の壁構造は、建物の屋外側に位置する外壁１と、建物の室内側に位置する室内パネル２との間に区画壁３を配設して、区画壁３の両面に外気換気層４と計画通気層５とを設けている。外気換気層４は、外壁１と区画壁３との間に設けられ、計画通気層５は、区画壁３と室内パネル２との間に設けている。
【００３４】
図の壁構造は、柱１４の室内側に室内パネル２を固定して、屋外側に区画壁３を固定して、室内パネル２と区画壁３の間に計画通気層５を設けている。この壁構造は、柱１４の両面に室内パネル２と区画壁３を固定しているので、柱１４の太さが計画通気層５の幅となる。ただ、柱１４の間には、筋かい１５や室内パネル２を固定するための下地材等が設けられるので、筋かい等で計画通気層５の実質的な幅は狭くなる。計画通気層５は、室内の空気を循環させる。したがって、計画通気層５に設けられる筋かい等は、計画通気層５の空気の循環を阻止しないように柱１４の間に固定される。図の壁構造は、筋かい１５の幅を計画通気層５の幅よりも狭くして、計画通気層５の空気を上下に循環できるようにしている。
【００３５】
図の壁構造は、表面にクロスを張った石膏ボードや天然板を室内パネル２としているが、室内パネル２には土壁も使用できる。石膏ボードや天然板は、図６の断面図に示すように、柱１４の室内側に固定されるが、土壁２Ａの室内パネル２は、図９の水平断面図に示すように、柱１４の間に設けられる。土壁２Ａの室内パネル２は、柱１４に固定される区画壁３との間に計画通気層５を設けている。計画通気層５には、ここの空気を上下に換気できるように、計画通気層５よりも幅の狭い筋かい１５を固定している。ただ、筋かいは、上下に貫通して空気孔を設けて、計画通気層の空気を上下に換気できる構造とすることもできる。
【００３６】
区画壁３は、空気中の湿度で伸縮する天然木材３Ａを、換気隙間１７ができるように並べて固定している。天然木材３Ａは、厚さを３０ｍｍ、幅を１３５ｍｍとする。ただし、天然木材３Ａは、厚さを２０〜５０ｍｍ、幅を５０〜２００ｍｍとすることもできる。天然木材３Ａを厚くすると、壁の断熱性と防音性が向上する。ただ、天然木材３Ａを厚くすると施工コストが高くなるので、施工コストと断熱特性の両方を考慮して最適値とする。天然木材３Ａには、スギ、マツ、モミ等の針葉樹が適している。とくに、スギは、低コストで優れた断熱特性を有する特長がある。また、湿度の変化で速やかに伸縮する特長もある。ただし、天然木材には、ヒノキ、キリ等も使用できる。マツとヒノキは優れた防音特性と吸湿性を有し、キリは優れた断熱特性を有する。
【００３７】
板状の天然木材３Ａは、図８に示すように、水平方向に延長して水平に柱１４に固定される。また、筋かい１５に直接釘打ちして体力壁の強度を増すことができる。天然木材３Ａは、空気中の湿度で伸縮して、空気中の湿度が低くなると収縮し、空気中の湿度が高くなると膨張する。したがって、天然木材３Ａの間に設けている換気隙間１７は、湿度が低くなると広くなって空気を通過しやすくし、湿度が高くなると換気隙間１７を狭くして空気を通過し難くする。区画壁３の天然木材３Ａの間に設けている換気隙間１７は、湿度で自動的にその間隔が制御される。湿度が高いときに換気隙間１７が狭くなるので、外気換気層４と計画通気層５との空気の流通は遮断され、あるいは少なくなる。湿度が低くなると、換気隙間１７が広くなって、外気換気層４と計画通気層５との空気は流通しやすくなる。すなわち、計画通気層５と外気換気層４との間で空気が流通するようになる。
【００３８】
図８は、区画壁３を上下に切断した断面図である。この区画壁３は、天然木材３Ａの上面に連結凸条３１を設けて、下面には連結凸条３１を案内する連結溝３２を設けている。この区画壁３は、天然木材３Ａの連結凸条３１を隣の天然木材３Ａの連結溝３２に案内して隣接する天然木材３Ａを連結している。さらに、この区画壁３は、天然木材３Ａの収縮で換気隙間１７を調整するために、連結凸条３１を先端に向かって幅を次第に狭くして、連結溝３２を開口部に向かって幅が広くなるようにしている。この天然木材３Ａは、膨張して互いに接近すると換気隙間１７が狭くなる。反対に天然木材３Ａが収縮して互いに離れると換気隙間１７が広くなる。ただ、天然木材３Ａは、図１０の断面図に示すように横断面が長方形となるように加工して、柱１４に固定して換気隙間１７を設けることもできる。
【００３９】
天然木材３Ａは、湿度が高いとき、たとえば湿度が８０％になると換気隙間１７が閉鎖されるように柱１４に固定される。したがって、天然木材３Ａは、柱１４に固定するときの湿度で、換気隙間１７の大きさを調整する。湿度が８０％以上のときは、隣の天然木材３Ａとの間に隙間ができないように柱１４に固定する。湿度が低いときは、湿度によって換気隙間１７の幅を調整して柱１４に固定する。天然木材３Ａの換気隙間１７を調整して固定するときはスペーサーを使用する。スペーサーは、天然木材３Ａの間に挟まれてシックネスゲージとして使用される。天然木材３Ａを固定した後、スペーサーは除去される。
【００４０】
図に示す区画壁３は、その外壁１側の表面に防水シート２１を張設している。防水シート２１は、区画壁３と外壁１との間の外気換気層４に配設されて、区画壁３に水が通過するのを阻止する。したがって、防水シート２１は、水の通過を制限して空気を通過させるプラスチックシートである。防水シート２１は、好ましくは水の通過を阻止して、空気のみを通過させるものが最適である。防水シート２１のある区画壁３は、外気換気層４に水が浸入しても、この水が計画通気層５に通過するのを阻止できる特長がある。ただし、区画壁３には、必ずしも防水シート２１を張設する必要はない。とくに、図８に示す区画壁３のように連結凸条３１を連結溝３２に入れて連結する構造は、区画壁３を水がほとんど通過しないので、防水シートを張設することなく、水の透過を満足できる程度に阻止することができる。
【００４１】
さらに、以上の区画壁３は、空気中の湿度で伸縮する天然木材３Ａを、換気隙間１７ができるように並べて固定しているが、この発明は区画壁３を天然木材に特定しない。区画壁３には、天然木材以外の木材を、湿度が高いときに隙間ができるように固定し、あるいは湿度が高くても隙間ができないように固定して使用することができる。また、区画壁３には構造用合板を使用することもできる。構造用合板には、好ましくは、有害物質を含まないものを使用する。さらにまた、区画壁３には木材以外の石膏ボードやＭＤＦなど、全ての板材を使用することができる。
【００４２】
さらに、壁構造は、区画壁３から離して外壁１を固定して、区画壁３と外壁１との間に外気換気層４を設けている。図の壁構造は、区画壁３に胴縁１１を固定し、この胴縁１１に外壁１を固定して、外気換気層４を設けている。胴縁１１は、断熱材１０を外気換気層４に配設している。断熱材１０は、合成樹脂を独立気泡を有するように板状に発泡成形したものである。ただ、断熱材には、合成樹脂の発泡体以外の断熱材も使用できるのは言うまでもない。胴縁１１は、断熱材１０の境界に配設されて、外気換気層４の定位置に断熱材１０を固定している。胴縁１１は、断熱材１０を固定する保持凸条１２を両側に突出して設けており、この保持凸条１２で断熱材１０を固定している。図６の胴縁１１は、断熱材１０を外壁１側に配設しているが、図において胴縁１１の上下を反対にして、断熱材１０を区画壁３側に固定することもできる。
【００４３】
胴縁１１は、区画壁３の外側に垂直に固定される。図に示す区画壁３は、天然木材３Ａを水平に固定しているので、胴縁１１を天然木材３Ａと直交して固定している。垂直の胴縁１１は、断熱材１０との間に換気ダクトを設ける縦溝１３を設けている。この縦溝１３は、断熱材１０を胴縁１１に密着させる状態で、外気換気層４の空気を煙突のように効率よく自然対流できる。とくに、夏期の暑いときに、縦溝１３の換気ダクトで効率よく空気を対流させて、胴縁１１と外気換気層４を涼しくできる特長がある。図の胴縁１１は、断熱材１０との間と、区画壁３との間と外壁１との間に縦溝１３を設けている。胴縁１１は、釘止して、あるいは接着して区画壁３に固定される。胴縁１１の縦溝１３は、上下の両端を外気換気層４に連通させる。
【００４４】
図の外壁１は、胴縁１１に固定された下地サイディング１Ｂとこの下地サイディング１Ｂの表面に固定しているタイル等の外壁材１Ａである。外壁１に板状のものを使用する場合、下地サイディング等を使用することなく、胴縁１１に直接外壁１を固定することができる。
【００４５】
図１１と図１２は床構造を示す。この図の床構造は、根太や大引き等の下地材１６の上にプラットホーム２４を固定し、プラットホーム２４の上に床板２３を固定して、プラットホーム２４と床板２３との間に計画通気層５を設けている。プラットホーム２４は、前述の壁構造の区画壁と同じ構造の天然木材２４Ａを同じように固定している。プラットホーム２４は、天然木材２４Ａを、湿度で自動調整される換気隙間３０ができるように下地材１６に固定している。この構造のプラットホーム２４は、床下の湿度が低くなると換気隙間３０が広くなって床下の空気を通過しやすくし、湿度が高くなると換気隙間３０を狭くして空気を通過し難くする。このため、プラットホーム２４と床板２３との間に形成される計画通気層５の湿度が高くなるのを防止して、計画通気層５の内部やプラットホーム内面に結露するのを有効に防止できる。ただ、プラットホームは、コンパネ等の合板とすることもできる。さらに、プラットホームは、合板の上に、前述の壁構造の区画壁と同じ構造の天然木材を同じように固定することもできる。天然木材２４Ａのプラットホーム２４は、その下面に、壁構造と同じ防水シートを張設することもできる。防水シートは、床下の水分がプラットホームを濡らすのを防止する。ただ、床下には雨水が侵入することが少ないので、防水シートは必ずしも張設する必要はないのは言うまでもない。
【００４６】
さらに、プラットホーム２４の上には、胴縁１１を介して床板２３を固定している。床板２３とプラットホーム２４との間に計画通気層５を設けて、ここに断熱材１０を配設している。断熱材１０は、壁構造と同じ胴縁１１でもって、計画通気層５に配置される。図の胴縁１１は、保持凸条１２をプラットホーム２４に固定している。この胴縁１１は、断熱材１０を床板２３の下面に密着して固定できる。床は、プラットホーム２４が充分な強度を有する場合、根太を省略して大引きにプラットホーム２４を固定することができる。
【００４７】
図１１と図１２の床構造は、床板２３の下に床暖房シート３４を敷設して床暖房できる。さらに、床構造は、図１３に示すように、胴縁１１を図１１の姿勢とは上下反転してプラットホーム２４と床板２３の間に固定することもできる。この床構造は、断熱材１０をプラットホーム２４に密着するように固定する。胴縁１１は、保持凸条１２を床板２３の下面に固定して、断熱材１０をプラットホーム２４に密着している。この床構造は、図１４に示すように、床板２３の下で断熱材１０の上に暖房パネル３５を配置して床板２３を加温できる。暖房パネル３５は、胴縁１１の間にできる計画通気層５の全面に配置し、あるいは計画通気層５の一部に配置する。胴縁１１は、図１３に示すように、上面に横溝３６を設けて、両側の計画通気層５を連結している。この構造は、暖房パネル３５で加熱された空気を、横溝３６に通過させて隣の計画通気層５に流入させる。このため、床板２３の全面を均一に加熱できる。とくに、計画通気層５の一部に暖房パネル３５を配置して、床板２３の全面を均一に加温できる。
【００４８】
二階の床は、図１１や図１５に示すように、振動吸収するゴム状弾性シート３７を、胴縁１１とプラットホーム２４の間に固定する。この床構造は、床板２３の振動をゴム状弾性シート３７で吸収する。このため、二階の騒音が下の部屋に伝わるのを遮断できる。断熱材１０に使用される合成樹脂発泡体や無機繊維の集合体は、音を吸収する性質がある。このため、二階の騒音が下の部屋に伝わるのを、ゴム状弾性シート３７と断熱材１０の両方で有効に遮断できる。とくに、図１５に示すように、胴縁１１とプラットホーム２４との間にゴム状弾性シート３７を配置すると共に、胴縁１１で２層に断熱材１０を固定する床構造は、もっとも効率よく騒音を遮断できる。図に示すように、胴縁１１の下面にだけゴム状弾性シート３７を配設する構造は、床全体にゴム状弾性シートをひく一般的な構造に比べて、コストを飛躍的に削減しながら騒音を遮断できる。
【００４９】
さらに、図１６と図１７は、屋根構造を示す。これ等の図に示す屋根構造は、屋根プレート２０を、下地材１９の上に瓦やスレート等の屋根材４５を葺いた構造としている。図示しないが、屋根プレートは、下地材の上面を防水シートや銅板で被覆する構造、あるいは下地材の上に防水層を設けた構造として、瓦やスレート等の屋根材を設けない構造とすることもできる。図に示す屋根は、たる木１８の上に区画壁３を固定している。区画壁３は、壁構造と同じ天然木材を同じように固定して設けられる。区画壁３の上面には、防水シート２１を張設している。防水シート２１は、壁構造のものと同じように、水の通過を制限して空気を通過させるプラスチックシートである。ただし、防水シートには空気と水の両方を通過させないシートも使用できる。区画壁３には、天然木材に代わって合板やＭＤＦ等の板材が使用できる。さらに、図の屋根構造は、区画壁３の上に、胴縁１１を介して屋根プレート２０の下地材１９を固定して、この下地材１９と区画壁３との間に外気換気層４を設けている。
【００５０】
図１６の屋根構造は、下地材１９と区画壁３との間に断熱材１０を配設している。図１７の屋根構造は、屋根プレート２０と区画壁３との間に、中間プレート４６を配設して、中間プレート４６でもって外気換気層４を複数の層に区画している。この図の屋根は、１層の中間プレート４６でもって外気換気層を２層構造に区画しているが、下地材と区画壁との間に複数層の中間プレートを離して設けて、外気換気層を３層以上の層とすることもできる。中間プレート４６は、断熱材１０である。断熱材１０の中間プレート４６は、片面または両面にベニヤ板等の補強板を積層して、変形しないように外気換気層４に固定できる。ただ、充分な強度、いいかえると経時的に自重で変形しない程度の強度のある断熱材１０は、補強板を使用することなく外気換気層に配設される。中間プレート４６に断熱材１０を使用すると、屋根の断熱特性をより向上できる。ただ、中間プレート４６には、断熱材ではない板材、たとえば合板やパーチクルボード等の全ての板材が使用できる。外気換気層４を複数の層に区画する構造は、屋根の断熱特性を著しく向上できる。それは、複数の層の外気換気層４に外気を換気して、屋根を強制冷却できるからである。
【００５１】
外気換気層４を複数の層に区画する屋根構造の建物の一例を図１８に示す。この図に示す建物は屋根に設けた外気換気層４を中間プレート４６でもって、上下に２層に区画している。この中間プレート４６は、屋根と壁との境界部分において外壁１に連結している。上下に区画された外気換気層４は、上側の外気換気層４を屋根の両側において建物外に開口すると共に、下側の外気換気層４を壁の外気換気層４に連結して、壁の外気換気層４の下端部において建物外に開口している。上側の外気換気層は、両側の下端部に外気換気口２７を設けており、この外気換気口２７を軒下に開口している。下側の外気換気層４は、壁の外気換気層４の下端部に設けた外気換気口２７でもって建物外に開口している。この構造の建物は、屋根の一方の外気換気口２７から流入される外気を、上側の外気換気層４に換気させて、反対側の外気換気口２７から排気している。さらに、一方の壁の下端部の外気換気口２７から流入される外気を壁の外気換気層４に通過させて下側の外気換気層４に換気させた後、反対側の壁の外気換気層４を通過させて排気している。すなわち、この構造の建物は、上下２層からなる屋根の外気換気層４に、独立して外気を換気する。したがって、屋根を強制的に冷却しながら、屋根と室内とを理想的に断熱できる。ただ、中間プレートは、必ずしも両側の下端部を外壁に連結する必要はなく、どちらか一方のみを外壁に連結することもできる。さらに、中間プレートは、下端部を外壁に連結することなく上下２層の外気換気層を屋根の外気換気口と壁の外気換気層に連結して換気することもできる。
【００５２】
中間プレート４６や断熱材１０は、図１６と図１７に示すように、壁構造と同じように胴縁１１で区画壁３に固定される。この屋根は、区画壁３に一定の間隔で胴縁１１を平行に固定し、胴縁１１に下地材１９を固定して施工される。胴縁１１を固定するときに、中間プレート４６や断熱材１０が固定される。中間プレート４６を固定する胴縁１１は、中間プレート４６の両側縁部を嵌入して固定する固定溝１１Ａを両側面に設けている。固定溝１１Ａは、中間プレート４６を固定する位置を特定する。固定溝１１Ａは胴縁１１の両側面に縦に延長して設けられる。中間プレート４６を、外気換気層４を同じ厚さの２層に区画するように固定する胴縁１１は、図において上下の中央部分に固定溝１１Ａを設ける。中間プレート４６は、必ずしも外気換気層４を同じ厚さの複数層に区画する必要はない。屋根材に近い層を区画壁に近い層よりも厚く区画することもできる。中間プレート４６の固定位置は、固定溝１１Ａで特定される。したがって、固定溝１１Ａを設ける位置を調整して、複数に区画される外気換気層４の厚さを特定する。胴縁は、中間プレートを複数の層に配設して、外気換気層を３層以上に区画することもできる。この胴縁は、複数の層に中間プレートを固定する固定溝を複数列に平行に設けている。
【００５３】
以上の胴縁１１は、区画壁３と下地材１９との間に外気換気層４を設けることに加えて、中間プレート４６や断熱材１０を外気換気層４に固定する固定材にも併用される。図に示すように、中間プレート４６や断熱材１０を下地材１９から離して配設し、下地材１９のすぐ下側に外気換気層４を設ける構造は、外気換気層４を通過する空気で屋根プレート２０の下地材１９を効率よく冷却できる特長がある。図示しないが、外気換気層には、必ずしも断熱材を設ける必要はない。それは、外気換気層４に換気される空気が屋根プレート２０を強制冷却するからである。
【００５４】
さらに、図の屋根構造は、たる木１８の室内側に室内パネル２を固定して、区画壁３と室内パネル２との間に屋根の計画通気層である天井裏ダクト２６を設けている。屋根の計画通気層である天井裏ダクト２６は、図１ないし図３に示すように、天井裏にたる木から離れて、室内パネル２を固定して設けることもできる。さらに、天井板を室内パネルとして、天井板と区画壁との間に設けることもできる。
【００５５】
以上のように、屋根の外気換気層４に外気を換気させる建物は、夏期の暑いときに屋根を強制冷却して室内温度が上昇するのを有効に防止して快適にできる特長がある。さらに、本発明の建物は、冬の寒い時期には、屋根の外気換気層４に外気を換気することなく、すなわち外気の換気を停止して室内を外気換気層４で断熱することもできる。この構造の建物は、図１ないし図５および図１８に示すように、建物の片側または両側に位置する外気換気口２７に開閉できる開閉蓋４７を設けて実現できる。これらの建物は、開閉蓋４７を開いて外気換気層４に外気を換気し、開閉蓋４７を閉じて外気換気層４の換気４を阻止する。したがって、開閉蓋４７の開閉を制御することによって、より快適な室内環境が実現できる。とくに、図１８に示す建物は、屋根に２層の外気換気層４を設けているので、屋根と室内とを２層の空気層でもってより理想的に断熱できる特長がある。
【００５６】
図１と図１８に示す建物は、建物の両側に位置する外気換気口２７に開閉蓋４７を設けている。これら図に示す建物は、屋根の両側の軒下と両側の壁の下端部とに開閉蓋４７を設けている。これらの建物は、全ての開閉蓋４７を閉じることによって、外気換気層４への外気の侵入を完全に遮断できる。ただ、これらの建物は、必ずしも全ての開閉蓋４７を閉じることなく、季節や天候に応じて一部の開閉蓋４７を開くこともできる。たとえば、図の建物は、軒下の開閉蓋４７を閉じて壁の下端部の開閉蓋４７を開き、あるいは反対に、壁の下端部の開閉蓋４７を閉じて軒下の開閉蓋４７を開くことができる。
【００５７】
さらに、図３ないし図５に示す建物は、北側に位置する壁と屋根の外気換気口２７に開閉蓋４７を設けている。日本では冬期の寒いときに主として北風が吹く。したがって、建物の北側に位置する外気換気口２７に開閉蓋４７を設ける構造は、開閉蓋４７を閉じることによって、外気換気口２７から外気換気層４へ冷たい外気が侵入するのを有効に阻止できる。ただ、本発明の建物は、図２に示すように、南側に位置する外気換気口２７に開閉蓋４７を設けることもできる。
【００５８】
さらに、図１ないし図３、図５及び図１８に示す建物は、開閉蓋４７を閉じた状態で、屋根換気口２５のシャッター３８を開き、あるいは強制換気機構３９を運転して、屋根の外気換気層４で加温された暖かい空気を計画通気層５である天井裏ダクト２６に流入させて、この暖かい空気を換気穴７から室内に供給することができる。とくに、図１と図１８の建物は、外気換気層４への外気の侵入を遮断した状態で、室内に空気を換気できるので、屋根の外気換気層で加温された空気を室内に循環させて暖房効果を促進できる特長がある。
【００５９】
開閉蓋４７の一例を図１９に示す。図の開閉蓋４７は、換気開口４８Ａを開口している固定板４８の上に往復運動できるように配置している。この開閉蓋４７は、貫通孔４７Ａを設けており、開閉機構４９に往復運動されて換気開口４８Ａを開閉する。開閉蓋４７は、貫通孔４７Ａを換気開口４８Ａの上方に移動させて換気開口４８Ａを開口し、貫通孔４７Ａを換気開口４８Ａの間に位置させて換気開口４８Ａを閉塞する。したがって、この開閉蓋４７は、換気開口４８Ａを開口する位置に移動する状態で換気開口４８Ａと同じ位置に貫通孔４７Ａを開口している。貫通孔４７Ａは、円形とすることも、スリット状とすることもできる。スリット状の貫通孔を有する開閉蓋は、スリットの縦方向に直交する横方向に往復運動されて換気開口を開閉する。開閉機構４９は、開閉蓋４７を往復できるシリンダー等が使用できる。ただ、開閉蓋は、開閉機構を設けることなく、手動で開閉することもできる。
【００６０】
さらに、開閉蓋は、図示しないが、ルーバーとして外気換気口を開閉することもできる。ルーバーである開閉蓋は、細長い平行プレートを平行に配置すると共に、これらを連動して傾動できるように連結して実現できる。この開閉蓋は、平行プレートを開閉機構あるいは手動で傾動させて換気開口を開閉する。この開閉蓋は、外気換気口のほぼ全面を開くことができるので、外気換気層に効率よく換気できる。
【００６１】
【発明の効果】
本発明の建物は、従来の建物では到底に考えられないほど効率よく建物の屋根を強制冷却できる。現実に本発明の建物を試作してその効果を検証した結果、天井裏の温度を室内温度よりも涼しくできるなど、従来の建物では到底に考えられてないほど効率よく屋根を強制冷却することが証明された。午後２時における最高温度が３２℃まで上昇する夏期において、本発明の建物は、午後の２時における天井裏の温度が３１℃となって外気温度よりも低くなり、室内温度は３５℃となった。同じ日に従来の建物の天井裏の温度は４０℃まで上昇した。従来の建物は、天井裏に断熱材を張設したものとした。参考に同じ日に密閉した自動車の室内温度を測定すると６１℃まで上昇した。以上の実験結果は、本発明の建物が極めて効率よく屋根を冷却できることを実証する。屋根が効率よく冷却されると、天井裏は外気が換気されず、また室内のように断熱特性の悪い窓等がないので、極めて涼しくできる。夏期に天井裏をいかに涼しくできるかは、建物にとって極めて大切なことである。それは、天井裏の温度が高くなると、天井の温度が高くなって、多量の輻射熱を室内に放射するからである。この状態で、室内を冷房して空気温度を低くしても、天井から輻射熱があると室内で快適には生活できない。この状態は、とくに二階建ての建物において、二階の室内温度が一階よりも高くなって、二階では快適に生活できないことで経験することである。本発明の建物は、天井裏の温度を室内よりも低くできるので、二階建ての建物においても、二階の室内温度を一階と同じように涼しく快適にできる。とくに、夏期において天井から多量の輻射熱が放射されず、極めて快適に正確できる特徴がある。この状態は、瓦の裏面を断熱し、あるいは天井裏に断熱材を張設する従来の建物では到底に想像もできないことである。とくに、本発明の建物は、冷房して涼しくするのではなく、自然の熱を有効に利用して屋根を強制冷却するので、冷房の熱負荷を著しく少なくして、室内を快適にできるという正に画期的な建物を実現する。
【００６２】
以上の極めて優れた特長は、本発明の建物が、屋根の内部に区画壁を設けて屋根プレートの下に外気換気層を設けると共に、この外気換気層を外気換気口で建物の外部に開口して、外気を流通させるからである。この建物は、外気で屋根プレートを強制的に冷却するので、単に屋根プレートの下に断熱材を配設する構造に比較して、屋根を相当に涼しくできる特長がある。また、外気換気層には外気を自然に換気できるので、必ずしも強制送風しないで屋根プレートを効率よく連結できる。また、強制送風するにしても簡単なファンで効率よく屋根プレートを効率よく連結できる。このため、簡単な構造で安価に施工でき、しかもメンテナンスを簡単にできる特長もある。さらに、本発明の建物は、屋根の棟部を開口して換気する必要がないので、台風等の強い風雨のときにも雨漏りしない特長がある。
【図面の簡単な説明】
【図１】本発明の一実施例にかかる建物の概略断面図
【図２】本発明の他の実施例にかかる建物の概略断面図
【図３】本発明の他の実施例にかかる建物の概略断面図
【図４】本発明の他の実施例にかかる建物の概略断面図
【図５】本発明の他の実施例にかかる建物の概略断面図
【図６】本発明の実施例にかかる建物の壁構造を示す水平断面図
【図７】図６に示す壁構造の一部を除去した状態を示す斜視図
【図８】図６に示す壁構造の垂直断面図
【図９】壁構造の他の一例を示す水平断面図
【図１０】壁構造の他の一例を示す垂直断面図
【図１１】本発明の実施例にかかる建物の床構造を示す垂直断面図
【図１２】図１１に示す床のＡ−Ａ線断面図
【図１３】床構造の他の一例を示す断面斜視図
【図１４】床構造の他の一例を示す垂直断面図
【図１５】床構造の他の一例を示す垂直断面図
【図１６】本発明の実施例にかかる建物の屋根構造を示す垂直断面図
【図１７】屋根構造の他の一例を示す垂直断面図
【図１８】本発明の他の実施例にかかる建物の概略断面図
【図１９】開閉蓋の一例を示す概略断面図
【符号の説明】
１…外壁　　　　　　　　１Ａ…外壁材
１Ｂ…下地サイディング
２…室内パネル　　　　　２Ａ…土壁
３…区画壁　　　　　　　３Ａ…天然木材
４…外気換気層
５…計画通気層
７…換気穴
８…排気ダクト　　　　　８Ａ…壁内への排気ダクト
８Ｂ…屋外への排気ダクト
９…強制換気機構
１０…断熱材
１１…胴縁
１２…保持凸条
１３…縦溝
１４…柱
１５…筋かい
１６…下地材
１７…換気隙間
１８…たる木
１９…下地材
２０…屋根プレート
２１…防水シート
２３…床板
２４…プラットホーム　　２４Ａ…天然木材
２５…屋根換気口
２６…天井裏ダクト
２７…外気換気口
３０…換気隙間
３１…連結凸条
３２…連結溝
３４…床暖房シート
３５…暖房パネル
３６…横溝
３７…ゴム状弾性シート
３８…シャッター
３９…強制換気機構
４０…濾過材
４４…棟部
４５…屋根材
４６…中間プレート
４７…開閉蓋　　　　　　４７Ａ…貫通孔
４８…固定板　　　　　　４８Ａ…換気開口
４９…開閉機構
５０…幅木材　　　　　　５０Ａ…幅木
５０Ｂ…天井回り縁
【図１】
2004124517.tif 000003
【図２】
2004124517.tif 000004
【図３】
2004124517.tif 000005
【図４】
2004124517.tif 000006
【図５】
2004124517.tif 000007
【図６】
2004124517.tif 000008
【図７】
2004124517.tif 000009
【図８】
2004124517.tif 000010
【図９】
2004124517.tif 000011
【図１０】
2004124517.tif 000012
【図１１】
2004124517.tif 000013
【図１２】
2004124517.tif 000014
【図１３】
2004124517.tif 000015
【図１４】
2004124517.tif 000016
【図１５】
2004124517.tif 000017
【図１６】
2004124517.tif 000018
【図１７】
2004124517.tif 000019
【図１８】
2004124517.tif 000020
【図１９】
2004124517.tif 000021